(57)【要約】【課題】放熱構造が備えられた照明器具の光源特性を明確にすることができ、照明器具の測光量を測定する際の安定性の評価を精度よく行うことができる測光量測定安定性評価方法、測光量測定安定性評価装置、測光量測定安定性評価プログラム、およびその記録媒体を提供する。【解決手段】ＬＥＤ照明器具の光束値から、初期光束値Φ0、光束値の変化量ΔΦ、および時定数τlmを含む光束値変動特性パラメータを［式１］に基づいて算出し、ＬＥＤ照明器具の光束の定常値Φ∞を［式４］に基づいて算出し、定常値Φ∞と光束値とを比較した光束値出力安定度ｅ（ｔ）を［式２］に基づいて算出する。【選択図】図７
2015041518.tif 000002
【特許請求の範囲】
【請求項１】
照明器具の光束値、光度、照度、および輝度のいずれかが含まれる測光量から、初期測光量Φ0、測光量の変化量ΔΦ、および時定数τlmを含む測光量変動特性パラメータを、［式１］に基づいて算出し、
安定した状態で前記測光量が測定されたものであることを、前記測光量変動特性パラメータに基づいて評価する、
ことを特徴とする照明器具の測光量測定安定性評価方法。
［式１］
【数１】
2015041518.tif 000015
【請求項２】
前記照明器具の測光量の定常値Φ∞を算出し、
前記定常値Φ∞と前記測光量とを比較した測光量出力安定度ｅ（ｔ）を、［式２］に基づいて算出する、
ことを特徴とする請求項１に記載された測光量測定安定性評価方法。
［式２］
【数２】
2015041518.tif 000016
【請求項３】
前記測光量変動特性パラメータのフィッティングに対する寄与率を算出する、
ことを特徴とする請求項１または請求項２に記載された測光量測定安定性評価方法。
【請求項４】
前記時定数τlmから、安定した状態で前記照明器具の測光量を測定する測定間隔Δｔを、［式３］に基づいて算出する、
ことを特徴とする請求項１から請求項３のいずれか１項に記載された測光量測定安定性評価方法。
［式３］
【数３】
2015041518.tif 000017
【請求項５】
照明器具の測光量から、初期測光量Φ0、測光量の変化量ΔΦ、および時定数τlmを含む測光量変動特性パラメータが、［式１］に基づいて算出され、前記照明器具の測光量の定常値Φ∞が算出される測光量変動特性パラメータ算出部と、
前記定常値Φ∞と前記測光量とを比較した測光量出力安定度ｅ（ｔ）が、［式２］に基づいて算出される安定度算出部と、
が備えられた、
ことを特徴とする測光量測定安定性評価装置。
［式１］
【数４】
2015041518.tif 000018
［式２］
【数５】
2015041518.tif 000019
【請求項６】
前記測光量変動特性パラメータのフィッティングに対する寄与率が算出される寄与率算出部が備えられた、
ことを特徴とする請求項５に記載された測光量測定安定性評価装置。
【請求項７】
前記時定数τlmから、安定した状態で前記測光量が測定される測定間隔Δｔが、［式３］に基づいて算出される測定間隔算出部が備えられた、
ことを特徴とする請求項５または請求項６に記載された測光量測定安定性評価装置。
［式３］
【数６】
2015041518.tif 000020
【請求項８】
照明器具の測光量から、初期測光量Φ0、測光量の変化量ΔΦ、および時定数τlmを含む測光量変動特性パラメータを、［式１］に基づいて算出する手順と、
前記照明器具の測光量の定常値Φ∞を算出する手順と、
前記定常値Φ∞と前記測光量とを比較した測光量出力安定度ｅ（ｔ）を［式２］に基づいて算出する手順と、
をコンピュータに実行させる、
ことを特徴とする測光量測定安定性評価プログラム。
［式１］
【数７】
2015041518.tif 000021
［式２］
【数８】
2015041518.tif 000022
【請求項９】
請求項８に記載された測光量測定安定性評価プログラムが記録された、
ことを特徴とするコンピュータで読み取り可能な記録媒体。
【発明の詳細な説明】
【技術分野】
【０００１】
本発明は、照明器具の測光量（光束、光度、照度、輝度）を測定する際の出力の安定性を評価する測光量測定安定性評価方法、測光量測定安定性評価装置、測光量測定安定性評価プログラム、およびその記録媒体に関するものである。
【背景技術】
【０００２】
従来、例えば蛍光灯、白熱灯、ＬＥＤ（Ｌｉｇｈｔ  Ｅｍｉｔｔｉｎｇ  Ｄｉｏｄｅ）などの照明器具の全光束を測定する装置として、下記特許文献１に記載された全光束測定装置がある。この全光束測定装置は、半球型の光積分器を用いて照明器具の全光束を測定する。このような全光束の測定は照明器具の発光効率を評価する上で重要であり、照明器具からの出力を安定させた状態において行う必要があるため、この安定性の評価方法がＪＩＳ規格（ＪＩＳ  Ｃ  ８１０５−５）で定められている。
【０００３】
このＪＩＳ規格（ＪＩＳ  Ｃ  ８１０５−５）によれば、「照明器具及び配光測定装置は、予熱を十分に行い、安定したことを確認して測定する。照明器具及び配光測定装置が安定したことを確認するために、例えば、５分間隔で光度を測定するなどの処置を行うと良い。連続した３回の光度の変化が１％以下となった場合、安定したとみなす。」とされている。
【先行技術文献】
【特許文献】
【０００４】
【特許文献１】特開２０１０−２７１２３５号公報
【発明の概要】
【発明が解決しようとする課題】
【０００５】
しかし、上記したＪＩＳ規格（ＪＩＳ  Ｃ  ８１０５−５）による安定性の評価方法は、規格が比較的統一されている蛍光灯や白熱電球を対象としているため、比較的新しい技術であるＬＥＤ照明器具の評価に馴染まない。すなわち、放熱構造が種類やメーカーによって異なるＬＥＤ照明器具などは、温度の下がり方がＬＥＤ照明器具ごとに異なるため出力が安定するまでの時間が個々に異なり、ＪＩＳ規格（ＪＩＳ  Ｃ  ８１０５−５）に則って一定間隔でＬＥＤ照明器具の全光束が測定されると、安定性の評価が精度よく行われない場合がある。例えば、この規格に則るとＬＥＤ照明器具の時定数が大きくなるにつれて全光束値と定常値との誤差が広がる（図１参照）。
【０００６】
本発明は、上記の実情に鑑みて提案されたものである。すなわち、例えばＬＥＤ照明器具など、放熱構造が備えられた照明器具の光源特性を明確にすることができ、照明器具の測光量を測定する際の安定性の評価を精度よく行うことができる測光量測定安定性評価方法、測光量測定安定性評価装置、測光量測定安定性評価プログラム、およびその記録媒体の提供を目的とする。
【課題を解決するための手段】
【０００７】
上記目的を達成するために、本発明に係る測光量測定安定性評価方法は、照明器具の光束値、光度、照度、および輝度のいずれかが含まれる測光量から、初期測光量Φ0、測光量の変化量ΔΦ、および時定数τlmを含む測光量変動特性パラメータを、［式１］に基づいて算出し、安定した状態で前記測光量が測定されたものであることを、前記測光量変動特性パラメータに基づいて評価する、ことを特徴とする。
【０００８】
本発明に係る測光量測定安定性評価方法は、前記照明器具の測光量の定常値Φ∞を算出し、前記定常値Φ∞と前記測光量とを比較した測光量出力安定度ｅ（ｔ）を、［式２］に基づいて算出する、ことを特徴とする。
【０００９】
本発明に係る測光量測定安定性評価方法は、前記測光量変動特性パラメータのフィッティングに対する寄与率を算出する、ことを特徴とする。
【００１０】
本発明に係る測光量測定安定性評価方法は、前記時定数τlmから、安定した状態で前記照明器具の測光量を測定する測定間隔Δｔを、［式３］に基づいて算出する、ことを特徴とする。
【００１１】
本発明に係る測光量測定安定性評価装置は、照明器具の測光量から、初期測光量Φ0、測光量の変化量ΔΦ、および時定数τlmを含む測光量変動特性パラメータが、［式１］に基づいて算出され、前記照明器具の測光量の定常値Φ∞が算出される測光量変動特性パラメータ算出部と、前記定常値Φ∞と前記測光量とを比較した測光量出力安定度ｅ（ｔ）が、［式２］に基づいて算出される安定度算出部と、が備えられた、ことを特徴とする。
【００１２】
本発明に係る測光量測定安定性評価装置は、前記測光量変動特性パラメータのフィッティングに対する寄与率が算出される寄与率算出部が備えられた、ことを特徴とする。
【００１３】
本発明に係る測光量測定安定性評価装置は、前記時定数τlmから、安定した状態で前記測光量が測定される測定間隔Δｔが、［式３］に基づいて算出される測定間隔算出部が備えられた、ことを特徴とする。
【００１４】
本発明に係る測光量測定安定性評価プログラムは、照明器具の測光量から、初期測光量Φ0、測光量の変化量ΔΦ、および時定数τlmを含む測光量変動特性パラメータを、［式１］に基づいて算出する手順と、前記照明器具の測光量の定常値Φ∞を算出する手順と、前記定常値Φ∞と前記測光量とを比較した測光量出力安定度ｅ（ｔ）を［式２］に基づいて算出する手順と、をコンピュータに実行させる、ことを特徴とする。
【００１５】
本発明に係る記録媒体は、測光量測定安定性評価プログラムが記録された、ことを特徴とする。
【００１６】
［式１］
【数１】
2015041518.tif 000003
【００１７】
［式２］
【数２】
2015041518.tif 000004
【００１８】
［式３］
【数３】
2015041518.tif 000005
【発明の効果】
【００１９】
本発明に係る測光量測定安定性評価方法は、上記した構成である。この構成により、照明器具の特性値が測光量値変動特性パラメータによって表される。したがって、照明器具の光源性能が明確となり、また照明器具の測光量を測定する際の安定性の評価を精度よく行うことができる。
【００２０】
また、［式１］を用いてフィッティング処理を逐次施すことにより測光量変動特性パラメータを算出することで、早期に収束値を予測できる。
【００２１】
本発明に係る測光量測定安定性評価方法は、照明器具の測光量の定常値Φ∞を算出し、定常値Φ∞と測光量とを比較した測光量出力安定度ｅ（ｔ）を［式２］に基づいて算出するものである。この構成により、測光量の定常値Φ∞や、定常値Φ∞に至る時間などが明らかとなる。また、定常値Φ∞が安定度の評価基準として測光量と比較され、安定した状態で測光量が測定されたものであることが、測光量出力安定度ｅ（ｔ）から評価される。したがって、照明器具の測光量を測定する際の安定性の評価をさらに精度よく行うことができる。
【００２２】
本発明に係る測光量測定安定性評価方法は、測光量変動特性パラメータのフィッティングに対する寄与率を算出するものである。したがって、照明器具の測光量を測定する際の安定性の評価を、高い信憑性のもとで精度よく行うことができる。
【００２３】
本発明に係る測光量測定安定性評価方法は、時定数τlmから、安定した状態で照明器具の測光量を測定する測定間隔Δｔを［式３］に基づいて算出するものである。したがって、測光量が測定される際の測定間隔Δｔに関し、個々の照明器具に応じた適切な値を算出することができる。
【００２４】
本発明に係る測光量測定安定性評価装置は、照明器具の測光量から、初期測光量Φ0、測光量の変化量ΔΦ、および時定数τlmを含む測光量変動特性パラメータが、［式１］に基づいて算出され、照明器具の測光量の定常値Φ∞が算出される測光量変動特性パラメータ算出部と、定常値Φ∞と測光量とを比較した測光量出力安定度ｅ（ｔ）が、［式２］に基づいて算出される安定度算出部とが備えられている。この構成により、上記した測光量測定安定性評価方法と同様に、照明器具の特性値が測光量変動特性パラメータによって表され、測光量の定常値Φ∞や、定常値Φ∞に至る時間などが明らかとなる。また、定常値Φ∞が安定度の評価基準として測光量と比較され、安定した状態で測光量が測定されたものであることが、測光量出力安定度ｅ（ｔ）から評価される。したがって、照明器具の光源性能が明確となり、また照明器具の測光量を測定する際の安定性の評価を精度よく行うことができる。
【００２５】
本発明に係る測光量測定安定性評価装置は、測光量変動特性パラメータのフィッティングに対する寄与率が算出される寄与率算出部が備えられている。したがって、照明器具の測光量を測定する際の安定性の評価を、高い信憑性のもとで精度よく行うことができる。
【００２６】
本発明に係る測光量測定安定性評価装置は、時定数τlmから、安定した状態で測光量が測定される測定間隔Δｔが、［式３］に基づいて算出される測定間隔算出部が備えられている。したがって、測光量が測定される際の測定間隔Δｔに関し照明器具に応じた適切な値を算出することができる。
【００２７】
本発明に係る測光量測定安定性評価プログラムは、照明器具の測光量から、初期測光量Φ0、測光量の変化量ΔΦ、および時定数τlmを含む測光量変動特性パラメータを、［式１］に基づいて算出する手順と、照明器具の測光量の定常値Φ∞を算出する手順と、定常値Φ∞と測光量とを比較した測光量出力安定度ｅ（ｔ）を［式２］に基づいて算出する手順とを、コンピュータに実行させるものである。この構成により、上記した測光量測定安定性評価方法と同様に、照明器具の特性値が測光量変動特性パラメータによって表され、測光量の定常値Φ∞や、定常値Φ∞に至る時間などが明らかとなる。また、定常値Φ∞が安定度の評価基準として測光量と比較され、安定した状態で測光量が測定されたものであることが、測光量出力安定度ｅ（ｔ）から評価される。したがって、照明器具の光源性能が明確となり、また照明器具の測光量を測定する際の安定性の評価を精度よく行うことができる。
【００２８】
本発明に係る測光量測定安定性評価プログラムが記憶された記録媒体は、測光量測定安定性評価プログラムが記憶されたものである。この構成により、上記した測光量測定安定性評価プログラムと同様に、照明器具の特性値が測光量変動特性パラメータによって表され、測光量の定常値Φ∞や、定常値Φ∞に至る時間などが明らかとなる。また、定常値が安定度の評価基準として測光量と比較され、安定した状態で測光量Φ∞が測定されたものであることが、測光量出力安定度ｅ（ｔ）から評価される。したがって、照明器具の光源性能が明確となり、また照明器具の測光量を測定する際の安定性の評価を精度よく行うことができる。
【図面の簡単な説明】
【００２９】
【図１】従来の評価方法による測定値の誤差を説明し、（ａ）が時定数が異なる照明器具ごとの光束値‐時間特性図、（ｂ）が時定数が異なる照明器具ごとの全光束値と定常値との誤差一覧図である。
【図２】本発明の測光量変動特性パラメータの導出を説明する光束値‐温度特性図である。
【図３】本発明の測定間隔の導出を説明する許容変動率‐時間特性図である。
【図４】本発明の測定間隔の導出を説明する測定間隔／時定数‐許容変動率特性図である。
【図５】本発明の測定間隔を説明する測定間隔‐時定数特性図である。
【図６】本発明の実施形態に係る測光量測定安定性評価装置の構成の概略を示す概略構成図である。
【図７】本発明の実施形態に係る測光量測定安定性評価装置の処理の流れを示すフロー図である。
【図８】本発明の実施形態に係る測光量測定安定性評価装置の寄与率算出部による処理の流れを示すフロー図である。
【図９】本発明の第一実施例を説明し、（ａ）が全光束‐時間特性図、（ｂ）が測光量変動特性パラメータおよび寄与率一覧図である。
【図１０】本発明の第二実施例を説明し、（ａ）が全光束‐時間特性図、（ｂ）が測光量変動特性パラメータおよび寄与率一覧図である。
【図１１】本発明の第三実施例を説明し、（ａ）が全光束‐時間特性図、（ｂ）が測光量変動特性パラメータおよび寄与率一覧図である。
【図１２】本発明の第四実施例を説明し、（ａ）が全光束‐時間特性図、（ｂ）が測光量変動特性パラメータおよび寄与率一覧図である。
【発明を実施するための形態】
【００３０】
以下に、本発明の実施形態に係る測光量測定安定性評価方法を説明する。測光量測定安定性評価方法による測定対象は、ヒートシンクなどの放熱構造が設けられた照明器具であり、例えばＬＥＤ照明器具である。なお、以下では「測光量」が光束（全光束）として説明されているが、「測光量」は光束（全光束を含む）、光度、照度、および輝度が含まれ、いずれであってもよい。
【００３１】
本実施形態に係る測光量測定安定性評価方法としての光束測定安定性評価方法では、ＬＥＤ照明器具の光束の時間経過を表す光束時間変動特性のモデル式を用いて、光束を測定する際の安定性の評価を行う。すなわち、ＬＥＤ照明器具が安定した状態で光束値が測定されたものであることの評価を行う。ここで、安定した状態とは、定常状態または定常状態に近い状態をいう。光束時間変動特性のモデル式は以下の考察により導出される。
【００３２】
ＬＥＤ照明器具の多くは、温度が、熱源（Ｐ−Ｎジャンクション）、放熱部（例えばヒートシンク、放熱ファン、内部回路など）、および環境（大気熱などの環境温度）の三つの要素に影響され、環境温度から熱時定数τthで定常状態に緩和する。このことから、ＬＥＤ照明器具の温度変動特性は、以下に示す［式５］によって表される。
【００３３】
［式５］
【数４】
2015041518.tif 000006
【００３４】
ここで各変数は、Ｔ（ｔ）が任意の時間ｔにおける熱源の温度、Ｔ0が初期温度（環境温度）、ΔＴが定常状態に至る温度変化量、およびτthが熱時定数である。
【００３５】
ＬＥＤ照明器具の光束値と温度は、ほぼ逆比例の関係であるため（図２参照）、［式５］から光束時間変動特性および定常値（十分に温度が安定したときの光束値）は、以下に示す［式１］および［式４］で表されると予測される。
【００３６】
［式１］
【数５】
2015041518.tif 000007
【００３７】
［式４］
【数６】
2015041518.tif 000008
【００３８】
ここで各変数は、Φ（ｔ）が任意の時間ｔにおける光束値（測光量）、Φ0がＬＥＤ照明器具を点灯させた直後の光束値（初期光束値（初期測光量））、ΔΦが定常状態に至る光束値の変化量（測光量の変化量）、τlmが時定数、およびΦ∞が定常値である。
【００３９】
上記のとおり導出された［式１］に基づくフィッティング処理を最小二乗法により光束値Φ（ｔ）に対して施し、初期光束値Φ0、光束値の変化量ΔΦ、および時定数τlmを含む光束値変動特性パラメータ（測光量変動特性パラメータ）を算出する。さらに［式４］に基づいて定常値Φ∞を算出する。
【００４０】
次に、算出された光束値変動特性パラメータを用いて、光束を測定する際の安定性の評価を行う。
【００４１】
定常値Φ∞を基準として光束値Φ（ｔ）の変動率（安定度）を評価するため、定常値Φ∞と光束値Φ（ｔ）とを比較した光束出力安定度（測光量出力安定度）ｅ（ｔ）を算出する。光束出力安定度ｅ（ｔ）は、以下に示す［式２］に基づいて算出される。光束出力安定度ｅ（ｔ）が小さいほど定常値Φ∞に近似し、安定性の評価が高くなる。
【００４２】
［式２］
【数７】
2015041518.tif 000009
【００４３】
光束値と光束値変動特性パラメータから、光束値変動特性パラメータのフィッティングに対する寄与率Ｒ2（ｔ）を算出する。寄与率Ｒ2（ｔ）は、以下に示す［式６］に基づいて算出される。
【００４４】
［式６］
【数８】
2015041518.tif 000010
【００４５】
光束値変動特性パラメータを用いることで、ＪＩＳ規格（ＪＩＳ  Ｃ  ８１０５−５）に則った照明器具の測定間隔（５分）をＬＥＤ照明器具に合わせて最適化する。
【００４６】
時定数τlmから、光束をＬＥＤ照明器具ごとに適切な間隔で測定するための測定間隔Δｔを算出する。測定間隔Δｔは、以下に示す［式３］に基づいて算出される。
【００４７】
［式３］
【数９】
2015041518.tif 000011
【００４８】
測定間隔Δｔは以下の考察により導出される。
【００４９】
ＪＩＳ規格（ＪＩＳ  Ｃ  ８１０５−５）に基づいた、Δｔ秒前の値からの変動率をｑ（ｔ）、定常値からの変動率をｐ（ｔ）とすると、ｑ（ｔ）およびｐ（ｔ）は、以下に示す［式７］および［式８］によって表される。
【００５０】
［式７］
【数１０】
2015041518.tif 000012
【００５１】
［式８］
【数１１】
2015041518.tif 000013
【００５２】
ｑ（ｔ）の許容変動率をｅ（ＪＩＳ規格（ＪＩＳ  Ｃ  ８１０５−５）により０．０１＝１％）、ｐ（ｔ）とｑ（ｔ）とが交差する時刻をｔ0、ｑ（ｔ）＝ｅとなる時刻をｔ1とし、ｐ（ｔ）とｑ（ｔ）とが一点で交差し、かつ、ｔ1においてｐ（ｔ）≧ｑ（ｔ）（すなわち、ｑ（ｔ）の評価時（ｔ＝ｔ1）において、ｑ（ｔ）がｐ（ｔ）以下）となる条件（図３参照）を満たすΔｔの値を求める。
【００５３】
この条件は、以下に示す［式９］となる。
【００５４】
［式９］
【数１２】
2015041518.tif 000014
【００５５】
以上より、ｅ≪１において測定間隔Δｔは［式３］となる（図４参照）。測定間隔Δｔの値は時定数が９００ｓｅｃを超える辺りから、１０分以上となる（図５参照）。
【００５６】
上記した光束測定安定性評価方法は、ハードウェア構成、ＤＳＰ（Ｄｉｇｉｔａｌ  Ｓｉｇｎａｌ  Ｐｒｏｃｅｓｓｏｒ）、ＭＰＵ（Ｍｉｃｒｏ  Ｐｒｏｃｅｓｓｉｎｇ  Ｕｎｉｔ）、ソフトウェアによって実現することが可能である。例えば、ソフトウェアによって実現する場合、ＣＰＵ、あるいはＭＰＵ、ＲＡＭ、ＲＯＭなどを備えた光束測定安定性評価装置（測光量測定安定性評価装置）１０により、ＲＡＭやＲＯＭに記憶されたプログラムが動作することによって実現できる。
【００５７】
したがって、光束測定安定性評価装置１０が光束測定安定性評価方法による各処理機能を果たすように動作させるプログラムを、例えばＣＤ−ＲＯＭ等の記録媒体に記録し、光束測定安定性評価装置１０に読み込ませることによって実現できる。プログラムを記録する記録媒体としては、ＣＤ−ＲＯＭ以外に、例えばフレキシブルディスク、光ディスク等を用いることができる。また、ネットワークを介してプログラムを光束測定安定性評価装置１０にダウンロードすることによっても実現できる。
【００５８】
図６のとおり、光束測定安定性評価装置１０は、例えば積分球などの球形光束計と計測装置とから構成された公知の光束測定システム１に組み込まれていてもよい。光束測定安定性評価装置１０は、入力部、光束値変動特性パラメータ算出部、寄与率算出部、安定度算出部、表示部から構成されている。以下、光束測定安定性評価装置１０による処理の流れを図７に基づいて説明する。
【００５９】
ステップＳ１において、入力部ではフィッティング寄与率Ｒ2と許容安定度ｅのそれぞれの値が入力され、設定される。ステップＳ２において、球形光束計においてＬＥＤ照明器具の光束を測定し、時系列の光束出力データとして光束値Φ（ｔ）を取得する。なお、扱うデータは相対値であってもよい。
【００６０】
ステップＳ３において、光束値変動特性パラメータ算出部では［式１］に基づくフィッティング処理が最小二乗法により光束値Φ（ｔ）に対して施され、光束値Φ0、光束値の変化量ΔΦ、および時定数τlmを含む光束値変動特性パラメータが算出される。さらに［式４］に基づいて定常値Φ∞が算出される。
【００６１】
ステップＳ４において、寄与率算出部では光束値Φ（ｔ）と光束値変動特性パラメータとから［式６］に基づいて寄与率Ｒ2（ｔ）が算出される（図８参照）。安定度算出部では、定常値Φ∞と光束値Φ（ｔ）とを比較した光束値出力安定度ｅ（ｔ）が［式２］に基づいて算出される。
【００６２】
ステップＳ４において、表示部では取得された光束出力データと光束値変動特性パラメータがグラフで表示される。
【００６３】
ステップＳ５において、寄与率算出部で算出された寄与率Ｒ2（ｔ）がフィッティング寄与率Ｒ2よりも小さく、かつ、安定度算出部で算出された光束値出力安定度ｅ（ｔ）が許容安定度ｅよりも小さいか否かが判定される。判定の結果、真（Ｔｒｕｅ）であれば安定した状態で光束値Φ（ｔ）が測定されたものであると評価されてステップＳ６に進み、偽（Ｆａｌｓｅ）であればステップＳ２に戻って次の時刻で光束値Φ（ｔ）が処理される。
【００６４】
ステップＳ６において、表示部では安定状態における光束値Φ（ｔ）が表示される。
【００６５】
測定間隔算出部では、時定数τlmから、安定した状態で光束が測定される測定間隔Δｔが［式３］に基づいて算出される。
【００６６】
次に、本実施形態の効果を説明する。
【００６７】
上記したとおり、本実施形態によれば、［式１］に基づくフィッティング処理を最小二乗法により光束値Φ（ｔ）に対して施し、光束値Φ0、光束値の変化量ΔΦ、および時定数τlmを含む光束値変動特性パラメータを算出する。この構成により、ＬＥＤ照明器具の特性値が光束値変動特性パラメータによって表され、光束の定常値Φ∞や定常値に至る時間などが明らかとなる。したがって、ＬＥＤ照明器具の光源性能が明確となり、またＬＥＤ照明器具の光束を測定する際の安定性の評価を精度よく行うことができる。
【００６８】
また、［式１］を用いてフィッティング処理を逐次施すことにより光束値変動特性パラメータを算出することで、早期に収束値を予測できる。
【００６９】
本実施形態によれば、［式４］に基づいて定常値Φ∞を算出し、［式２］に基づいて定常値Φ∞と光束値Φ（ｔ）とを比較した光束出力安定度ｅ（ｔ）を算出する。この構成により、定常値Φ∞が安定度の評価基準として光束値と比較され、安定した状態で光束値が測定されたものであることが、光束値出力安定度ｅ（ｔ）から評価される。したがって、ＬＥＤ照明器具の光束を測定する際の安定性の評価をさらに精度よく行うことができる。
【００７０】
本実施形態によれば、［式６］に基づいて光束値と光束値変動特性パラメータから、光束値変動特性パラメータのフィッティングに対する寄与率Ｒ2（ｔ）を算出する。したがって、ＬＥＤ照明器具の光束を測定する際の安定性の評価が、高い信憑性のもとで精度よく行うことができる。
【００７１】
本実施形態によれば、時定数τlmから［式３］に基づいて、光束をＬＥＤ照明器具ごとに適切な間隔で測定するための測定間隔Δｔを算出する。したがって、光束が測定される際の測定間隔Δｔに関し、個々のＬＥＤ照明器具に応じた適切な値を算出することができる。
【００７２】
次に、本発明の実施例を説明する。
【００７３】
＜第一実施例＞
図９において、製品に表示された全光束値がそれぞれ２１０ｍｌ（電球色）、２８０ｍｌ（昼白色）、３１０ｍｌ（電球色）、および４２０ｍｌ（昼白色）であるＬＥＤ照明器具の全光束を測定し、光束値変動特性パラメータ（初期光束値Φ0、光束値の変化量ΔΦ、時定数τlm）、および寄与率Ｒ2を算出した（ｔ＝３０００ｓｅｃ）。寄与率Ｒ2が９９％以上であり、［式１］の妥当性が確認できた。
【００７４】
＜第二実施例＞
図１０において、製品に表示された全光束値がそれぞれ３８０ｍｌ（電球色）、５００ｍｌ（昼白色）、５００ｍｌ（電球色）、６５０ｍｌ（昼白色）、６５０ｍｌ（電球色）、および８５０ｍｌ（昼白色）であるＬＥＤ照明器具の全光束を測定し、光束値変動特性パラメータおよび寄与率Ｒ2を算出した（ｔ＝３０００ｓｅｃ）。
【００７５】
＜第三実施例＞
図１１において、製品に表示された全光束値がそれぞれ３２５ｍｌ（電球色）、４５０ｍｌ（電球色）、および６５０ｍｌ（電球色）であるＬＥＤ照明器具の全光束を測定し、光束値変動特性パラメータおよび寄与率Ｒ2を算出した（３２５ｍｌ：ｔ＝５８６６ｓｅｃ、４５０ｍｌ：ｔ＝４５２３ｓｅｃ、６５０ｍｌ：ｔ＝４２６６ｓｅｃ）。第三実施例は電流制御されており、電流制御されていない第四実施例と比較してわずかに寄与率が低い。
【００７６】
＜第四実施例＞
図１２において、製品に表示された全光束値がそれぞれ８２０ｍｌ（電球色）、１０００ｍｌ（電球色）、および１２００ｍｌ（電球色）であるＬＥＤ照明器具の全光束を測定し、光束値変動特性パラメータおよび寄与率Ｒ2を算出した（８２０ｍｌ：１２２３ｓｅｃ、１０００ｍｌ：１４８７ｓｅｃ、１２００ｍｌ：１３１９ｓｅｃ）。
【００７７】
以上、本発明の実施形態を詳述したが、本発明は上記実施形態に限定されるものではない。本発明は、特許請求の範囲に記載された事項を逸脱することがなければ、種々の設計変更を行うことが可能である。
【符号の説明】
【００７８】
１                光束測定システム
１０              光束測定安定性評価装置（測光量測定安定性評価装置）
【図１】
2015041518.tif 000023
【図２】
2015041518.tif 000024
【図３】
2015041518.tif 000025
【図４】
2015041518.tif 000026
【図５】
2015041518.tif 000027
【図６】
2015041518.tif 000028
【図７】
2015041518.tif 000029
【図８】
2015041518.tif 000030
【図９】
2015041518.tif 000031
【図１０】
2015041518.tif 000032
【図１１】
2015041518.tif 000033
【図１２】
2015041518.tif 000034